【手続補正書】
【提出日】平成21年11月4日(2009.11.4)
【手続補正１】
【補正対象書類名】特許請求の範囲
【補正対象項目名】全文
【補正方法】変更
【補正の内容】
【特許請求の範囲】
【請求項１】
相互に対して平行な少なくとも二つの主要な表面及び縁を有する光を透過させる基体、並びに、
内部全反射によって前記基体へと光を結合させるための光学的な手段
：を含む、光学的なデバイスにおいて、
前記光を結合させるための手段は、偏光に敏感な反射させる表面を含む
ことを特徴とする、光学的なデバイス。
【請求項２】
前記基体の前記主要な表面に対して非平行なものである前記基体に位置させられた少なくとも一つの部分的に反射させる表面のアレイをさらに含む、請求項１に記載の光学的なデバイス。
【請求項３】
請求項１に記載の光学的なデバイスにおいて、
前記光を結合させるための光学的な手段は、前記光を透過させる基体の内側に埋め込まれる、光学的なデバイス。
【請求項４】
請求項１に記載の光学的なデバイスにおいて、
前記光を結合させるための光学的な手段は、前記基体の前記主要な表面に対して非平行なものである、光学的なデバイス。
【請求項５】
請求項１に記載の光学的なデバイスにおいて、
前記光を結合させるための光学的な手段は、偏光ビームスプリッターである、光学的なデバイス。
【請求項６】
請求項１に記載の光学的なデバイスにおいて、
前記光を結合させるための光学的な手段は、偏光に敏感な薄膜の誘電体のコーティングを含む、光学的なデバイス。
【請求項７】
請求項１に記載の光学的なデバイスにおいて、
前記光を結合させるための光学的な手段は、ワイヤー・グリッド偏光子を含む、光学的なデバイス。
【請求項８】
請求項２に記載の光学的なデバイスにおいて、
前記基体へと光を結合させるための光学的な手段は、前記部分的に反射させる表面のアレイに対して平行なものである、光学的なデバイス。
【請求項９】
前記主要な表面の一つの次に位置させられた四分の一波長の遅延部材をさらに含む、請求項１に記載の光学的なデバイス。
【請求項１０】
前記四分の一波長の遅延部材の次に位置させられた反射させる表面をさらに含む、請求項１に記載の光学的なデバイス。
【請求項１１】
前記四分の一波長の遅延部材の次に位置させられた収束レンズをさらに含む、請求項９に記載の光学的なデバイス。
【請求項１２】
請求項１１に記載の光学的なデバイスにおいて、
前記収束レンズの裏面は、反射性のコーティングでコートされる、光学的なデバイス。
【請求項１３】
請求項１１に記載の光学的なデバイスにおいて、
前記収束レンズは、平−凸レンズである、光学的なデバイス。
【請求項１４】
表示源をさらに含むと共に、前記表示源から現れる光波は、前記主要な表面の一つを通じて前記光を透過させる基体に入る、請求項１に記載の光学的なデバイス。
【請求項１５】
前記光波をコリメートする光学モジュールをさらに含む、請求項１４に記載の光学的なデバイス。
【請求項１６】
請求項１５に記載の光学的なデバイスにおいて、
前記コリメートする光学モジュールは、フォールディング・プリズムを含む、光学的なデバイス。
【請求項１７】
前記フォールディング・プリズムの内側に埋め込まれた少なくとも一つの偏光子ビームスプリッターをさらに含む、請求項１６に記載の光学的なデバイス。
【請求項１８】
前記フォールディング・プリズムの次に位置させられた四分の一波長の遅延部材をさらに含む、請求項１６に記載の光学的なデバイス。
【請求項１９】
前記四分の一波長の遅延部材の次に位置させられた少なくとも一つの収束レンズをさらに含むと共に、前記少なくとも一つの収束レンズの裏面は、反射性のコーティングでコートされたものである、請求項１６に記載の光学的なデバイス。
【請求項２０】
前記光を透過させる基体の内側に埋め込まれた反射させる表面をさらに含む、請求項１に記載の光学的なデバイス。
【請求項２１】
請求項２０に記載の光学的なデバイスにおいて、
前記反射させる表面は、前記基体へと光を結合させるための光学的な手段に対して平行なものである、光学的なデバイス。
【手続補正２】
【補正対象書類名】明細書
【補正対象項目名】００５７
【補正方法】変更
【補正の内容】
【００５７】
当該発明が、前述する図解された実施形態の詳細に限定されるものではないこと、及び、本発明が、それの主旨又は必須の属性から逸脱することなく他の具体的な形態で具現化されることがあることは、当業者には明白なことであると思われる。従って、本実施形態は、例示的なもの且つ限定的ではないものとして全ての点で考慮されるものであるが、当該発明の範囲は、前述の記載によってというよりもむしろ添付された特許請求の範囲によって指示されると共に、特許請求の範囲の均等の意味及び範囲の内に入る全ての変化は、従って、それの中に包含されることが意図されたものである。
［付記］
付記（１）：相互に対して平行な少なくとも二つの主要な表面及び縁を有する光を透過させる基体、並びに、内部全反射によって前記基体へと光を結合させるための光学デバイス：を含む、光学系において、前記光を結合させるためのデバイスは、偏光に敏感な反射させる表面を含むことを特徴とする、光学系。
付記（２）：前記基体の前記主要な表面に対して非平行なものである前記基体に位置させられた少なくとも一つの部分的に反射させる表面のアレイをさらに含む、付記（１）に記載の光学系。
付記（３）：付記（１）に記載の光学系において、前記光を結合させるための光学デバイスは、前記光を透過させる基体の内側に埋め込まれる、光学系。
付記（４）：付記（１）に記載の光学系において、前記光を結合させるための光学デバイスは、前記基体の前記主要な表面に対して非平行なものである、光学系。
付記（５）：付記（１）に記載の光学系において、前記光を結合させるための光学デバイスは、偏光ビームスプリッターである、光学系。
付記（６）：付記（５）に記載の光学系において、前記光を結合させるための光学デバイスは、ｓ偏光した光を反射させると共にｐ偏光した光を透過させる、光学系。
付記（７）：付記（５）に記載の光学系において、前記光を結合させるための光学デバイスは、ｐ偏光した光を反射させると共にｓ偏光した光を透過させる、光学系。
付記（８）：付記（５）に記載の光学系において、前記光を結合させるための光学デバイスは、偏光に敏感な薄膜の誘電体のコーティングを含む、光学系。
付記（９）：付記（５）に記載の光学系において、前記光を結合させるための光学デバイスは、ワイヤー・グリッド偏光子を含む、光学系。
付記（１０）：付記（２）に記載の光学系において、前記基体へと光を結合させるための光学デバイスは、前記部分的に反射させる表面のアレイに対して平行なものである、光学系。
付記（１１）：前記主要な表面の一つの次に位置させられた四分の一波長の遅延部材をさらに含む、付記（１）に記載の光学系。
付記（１２）：前記四分の一波長の遅延部材の次に位置させられた反射させる表面をさらに含む、付記（１１）に記載の光学系。
付記（１３）：付記（１２）に記載の光学系において、前記反射させる表面は、前記四分の一波長の遅延部材に接合させられる、光学系。
付記（１４）：付記（１２）に記載の光学系において、前記反射させる表面は、前記四分の一波長の遅延部材の裏側にコートされる、光学系。
付記（１５）：付記（１２）に記載の光学系において、前記四分の一波長の遅延部材は、前記反射させる表面の前方の表面に積層されたフィルムである、光学系。
付記（１６）：前記四分の一波長の遅延部材の次に位置させられた収束レンズをさらに含む、付記（１１）に記載の光学系。
付記（１７）：付記（１６）に記載の光学系において、前記収束レンズの裏面は、反射性のコーティングでコートされる、光学系。
付記（１８）：付記（１６）に記載の光学系において、前記収束レンズは、平−凸レンズである、光学系。
付記（１９）：表示源をさらに含む、付記（１）に記載の光学系。
付記（２０）：付記（１９）に記載の光学系において、前記表示源から現れる光波は、前記主要な表面の一つを通じて前記光を透過させる基体に入る、光学系。
付記（２１）：前記光波をコリメートする光学モジュールをさらに含む、付記（２０）に記載の光学系。
付記（２２）：付記（２０）に記載の光学系において、前記光波は、直線偏光したものである、光学系。
付記（２３）：付記（２０）に記載の光学系において、前記光波は、偏光してないものである、光学系。
付記（２４）：付記（２１）に記載の光学系において、前記コリメートする光学モジュールは、フォールディング・プリズムを含む、光学系。
付記（２５）：前記フォールディング・プリズムの内側に埋め込まれた少なくとも一つの偏光子ビームスプリッターをさらに含む、付記（２４）に記載の光学系。
付記（２６）：前記フォールディング・プリズムの次に位置させられた四分の一波長の遅延部材をさらに含む、付記（２４）に記載の光学系。
付記（２７）：前記四分の一波長の遅延部材の次に位置させられた少なくとも一つの収束レンズをさらに含む、付記（２４）に記載の光学系。
付記（２８）：付記（２４）に記載の光学系において、前記少なくとも一つの収束レンズの裏面は、反射性のコーティングでコートされる、光学系。
付記（２９）：前記四分の一波長の遅延部材の次に位置させられた収束レンズをさらに含む、付記（１１）に記載の光学系。
付記（３０）：付記（２９）に記載の光学系において、前記収束レンズは、平−凸レンズである、光学系。
付記（３１）：付記（２９）に記載の光学系において、前記収束レンズの裏面は、反射性のコーティングでコートされる、光学系。
付記（３２）：付記（２９）に記載の光学系において、前記収束レンズの裏面は、反射性のコーティングでコートされる、光学系。
付記（３３）：付記（２９）に記載の光学系において、前記収束レンズは、前記四分の一波長の遅延部材に光学的に付けられる、光学系。
付記（３４）：付記（２９）に記載の光学系において、前記収束レンズは、コリメーティングレンズである、光学系。
付記（３５）：前記光を透過させる基体の内側に埋め込まれた反射させる表面をさらに含む、付記（１）に記載の光学系。
付記（３６）：付記（３５）に記載の光学系において、前記反射させる表面は、前記基体へと光を結合させるための光学デバイスに対して平行なものである、光学系。
【図面の簡単な説明】